(57)【要約】【課題】細片に破砕されても、固形化粧料をスポンジやパフなどの化粧具に適切に付着させることが可能で、使用性を改善することができる化粧料皿の提供を目的とする。【解決手段】細片に破砕され得る固形化粧料Ｐが充填され、かつ当該固形化粧料を化粧具で擦り取るための開口部２が形成された化粧料皿本体３と、化粧料皿本体の外回りに装着される環状枠体４と、環状枠体の内方に張り渡されるメッシュ状のカバー５とを備え、カバーは、化粧料皿本体の内方へ向かって伸展される伸縮性を有し、開口部を覆う覆い部５ａおよび覆い部から一連に開口部外方の化粧料皿本体の外回りへ展張されて伸展量を増大させるスカート部５ｂを備える。【選択図】図１
2008099895.tif 000002
【特許請求の範囲】
【請求項１】
細片に破砕され得る固形化粧料が充填され、かつ当該固形化粧料を化粧具で擦り取るための開口部が形成された化粧料皿本体と、該化粧料皿本体の外回りに装着される環状枠体と、該環状枠体の内方に張り渡されるメッシュ状のカバーとを備え、該カバーは、上記化粧料皿本体の内方へ向かって伸展される伸縮性を有し、上記開口部を覆う覆い部および該覆い部から一連に該開口部外方の該化粧料皿本体の外回りへ展張されて伸展量を増大させるスカート部を備えることを特徴とする化粧料皿。
【発明の詳細な説明】
【技術分野】
【０００１】
本発明は、細片に破砕されても、固形化粧料をスポンジやパフなどの化粧具に適切に付着させることが可能で、使用性を改善することができる化粧料皿に関する。
【背景技術】
【０００２】
粉末化粧料を収納した化粧料容器に、粉末化粧料のパフへの付着操作を良好にする目的で、伸縮性のネットを展張させて設けた「粉末化粧料容器の伸縮性ネットシフタ」が知られている（特許文献１参照）。
【特許文献１】実開昭６３−１７７４０６号公報
【発明の開示】
【発明が解決しようとする課題】
【０００３】
ファンデーションやブラッシャー等の固形化粧料の場合には、粉末化粧料の場合とは異なり、スポンジやパフ、筆などの化粧具を直接擦り付けることで適度な量の化粧料を取り出すことができるため、化粧料を覆うネットを設ける必要性はなかった。
【０００４】
他方、固形化粧料は、粉末化粧料とは異なり、化粧料容器の落下などで衝撃が加わると、化粧料に割れが生じて細片化するため、その後の使用に不都合が生じるという課題があった。具体的には、細片化した化粧料をそのままにして使用しようとすると、うまくスポンジ等に化粧料を付着させることができず、また細片を取り除くのでは、化粧料として使用可能であるにもかかわらず、使わないまま捨てることとなり、不経済であるという課題があった。
【０００５】
本発明は上記従来の課題に鑑みて創案されたものであって、細片に破砕されても、固形化粧料をスポンジやパフなどの化粧具に適切に付着させることが可能で、使用性を改善することができる化粧料皿を提供することを目的とする。
【課題を解決するための手段】
【０００６】
本発明にかかる化粧料皿は、細片に破砕され得る固形化粧料が充填され、かつ当該固形化粧料を化粧具で擦り取るための開口部が形成された化粧料皿本体と、該化粧料皿本体の外回りに装着される環状枠体と、該環状枠体の内方に張り渡されるメッシュ状のカバーとを備え、該カバーは、上記化粧料皿本体の内方へ向かって伸展される伸縮性を有し、上記開口部を覆う覆い部および該覆い部から一連に該開口部外方の該化粧料皿本体の外回りへ展張されて伸展量を増大させるスカート部を備えることを特徴とする。
【発明の効果】
【０００７】
本発明にかかる化粧料皿にあっては、細片に破砕されても、固形化粧料をスポンジやパフなどの化粧具に適切に付着させることができ、使用性を改善することができる。
【発明を実施するための最良の形態】
【０００８】
以下に、本発明にかかる化粧料皿の好適な一実施形態を、添付図面を参照して詳細に説明する。本実施形態にかかる化粧料皿１は基本的には、図１〜図３に示すように、細片に破砕され得る固形化粧料Ｐが充填され、かつ当該固形化粧料Ｐを化粧具で擦り取るための開口部２が形成された化粧料皿本体３と、化粧料皿本体３の外回りに装着される環状枠体４と、環状枠体４の内方に張り渡されるメッシュ状のカバー５とを備え、カバー５は、化粧料皿本体３の内方へ向かって伸展される伸縮性を有し、開口部２を覆う覆い部５ａおよび覆い部５ａから一連に開口部２外方の化粧料皿本体３の外回りへ展張されて伸展量を増大させるスカート部５ｂを備えて構成される。
【０００９】
化粧料皿本体３は、底部３ａと、この底部３ａの周縁から立ち上げて環状に形成された周壁部３ｂとから、上部に開口部２を有する浅底の中空筒体状に形成される。この化粧料皿本体３内部には、開口部２から化粧料が充填される。化粧料としては、粉末化粧料とは異なり、衝撃等が加わると細片に破砕され得る、硬く脆い性質を有する固形化粧料Ｐを対象とする。化粧料皿本体３内に充填された固形化粧料Ｐは、化粧料皿本体３の開口部２を介してこれに擦り付けられるスポンジやパフ、筆などの化粧具に付着される。また、化粧料皿本体３の周壁部３ｂ外周面には、その周方向に沿って上方部分を窪ませることによって化粧料皿本体３の高さ方向中間部に、環状の段部３ｃが形成される。
【００１０】
環状枠体４は合成樹脂材で形成される。この環状枠体４は、化粧料皿本体３の周壁部３ｂ外周面を囲繞するリング部４ａと、リング部４ａの上端に径方向内方へ張り出して形成され、周壁部３ｂの段差部３ｃに係止される環状フランジ部４ｂとから、側断面Ｌ字状に形成される。環状枠体４は、上方から化粧料皿本体３に挿入されることで、環状フランジ部４ｂが段差部３ｃに係止され、これにより化粧料皿本体３の外回りに、その高さ方向中間部に位置させて装着され、例えば環状フランジ部４ｂが段差部３ｃに超音波接着あるいは接着剤で接着されて固定される。
【００１１】
環状枠体４には、その内方に張り渡してカバー５が設けられる。このカバー５は環状枠体４に、インサート成形により一体的に、あるいは接着剤などによって取り付けられる。カバー５は、伸展自在な伸縮性を有する合成樹脂材等でメッシュ状に形成される。具体的には例えば、極細繊維を伸び縮みするように網目状に編んだ布状材が用いられる。女性用ストッキングに用いられる薄手の合成繊維素材などが好ましい。この種の材料は、引き延ばして伸展させた状態から解放すると、縮んで元の状態に復原する弾性的性質を有する。また、メッシュの寸法は、細片の通過を妨げるように、ミクロンオーダーからミリメートルオーダーとされる。カバー５は、それを形成する布状材等を二重折りするなどして、形成されるメッシュの形状が不規則になり、またメッシュ寸法がさらに細かくなるようにしても良い。また、カバー５は、多孔性ゴムシートであっても良い。
【００１２】
カバー５は、ほとんどテンションが加わらないか、あるいは緩いテンションが加えられた状態で、環状枠体４内に張り渡して設けられる。そしてカバー５は、環状枠体４が化粧料皿本体３の外回りにその高さ方向中間部に位置させて装着されることで、開口部２全面を覆う領域が覆い部５ａとなり、また覆い部５ａから一連に開口部２外方の化粧料皿本体３の外回りへ展張される領域がスカート部５ｂとなって、全体として化粧料皿本体３の内方へ向かって伸展可能とされる。特に、スカート部５ｂは、その伸展性により、開口部２の面積に相当する覆い部５ａの領域のみによって得られる伸展量を補って増大させる機能を有し、すなわち伸び代を確保して、カバー５全体によって十分な伸展量が得られるようになっている。
【００１３】
化粧料皿本体３は例えば、蓋体６がヒンジ連結された容器本体７の化粧料皿収納部８内に、ペト等の接着剤や超音波接着などにより、あるいは嵌脱自在な嵌合構造を介して収納固定されることで、容器本体７内に装着される。
【００１４】
次に、本実施形態にかかる化粧料皿１の作用について説明する。製造にあたっては、あらかじめカバー５を環状枠体４に一体的に取り付けておく。他方、化粧料皿本体３内に固形化粧料Ｐを充填する。その後、カバー５付きの環状枠体４を、化粧料皿本体３の上方から挿入して、環状フランジ部４ｂを段差部３ｃに係止し、さらに環状枠体４を化粧料皿本体３の周壁部３ｂに固定する。これにより、製品もしくはパーツとしての化粧料皿１が完成する。この化粧料皿１は、容器本体７の化粧料皿収納部８などに収納固定され、これにより化粧料容器が完成される。使用に際しては、蓋体６を開放し、化粧具をカバー５の上、具体的には覆い部５ａの上から擦り付けるようにする。これにより、化粧料皿本体３内の固形化粧料Ｐを化粧具に付着させることができる。
【００１５】
特に本実施形態にあっては、カバー５で化粧料皿本体３の開口部２全面を覆っているので、化粧料容器の落下で衝撃が加わるなどして固形化粧料Ｐが破砕され、細片化したとしても、これら細片が飛び散ることを防止することができる。また、破砕された細片をそのまま化粧料皿本体３内に保持することができる。さらに、カバー５をメッシュ状としたので、固形化粧料Ｐが破砕により細片化しても、カバー５の上から化粧具を擦り付けることで適切に付着させることができ、継続して無駄なく固形化粧料Ｐを使用することができる。
【００１６】
また、カバー５を、化粧料皿本体３内方へ伸展される伸縮性を有するメッシュ状としたので、化粧具を押し付ければカバー５が伸びて、化粧料皿本体３の内部隅々まで化粧具を擦り付けることができ、固形化粧料Ｐが残り少なくなっても、不都合なく容易に固形化粧料Ｐを化粧具に付着させることができる。そして殊に、カバー５を、開口部２全面を覆う覆い部５ａだけでなく、覆い部５ａから一連に開口部２外方の化粧料皿本体３の外回りへと展張されるスカート部５ｂを備えて構成していて、これにより図３に示すように、化粧具の押し付けでスカート部５ｂをも開口部２内方へと引きずり込むことができて（図中、矢印Ｔ参照）、カバー５全体としての伸び代を十分に確保することができ、さらにスムーズにカバー５を伸展させて円滑に固形化粧料Ｐを付着させることができる。
【００１７】
押し付けていた化粧具をカバー５から離せば、カバー５は縮んで元に戻り、化粧料皿本体３の開口部２周りの外観を美麗に維持することができる。また、カバー５を環状枠体４に設けて、当該環状枠体４を介して化粧料皿本体３に取り付けるようにしたので、化粧料皿本体３に固形化粧料Ｐを充填する作業とは別に、カバー５付きの環状枠体４を準備しておくことができ、固形化粧料を充填した後にカバーを直接化粧料皿本体に取り付ける場合にカバーの張り具合の調整が難しかったり、カバーで固形化粧料表面を傷付けてしまうおそれがあることに比べて、カバー５の化粧料皿本体３への組み付け作業性を改善でき、生産工程を合理化することができる。
【００１８】
図４には、上記実施形態の変形例が示されている。この変形例では、上記実施形態における環状枠体がカバー５とは別体の保持部材９として用いられ、環状枠体４はプレート状のリング材で形成されている。環状枠体４は、段差部３ｃ上に設けられる。保持部材９は、そのリング部９ａが環状枠体４を取り囲みつつ化粧料皿本体３の周壁部３ｂ外周面を囲繞し、環状フランジ部９ｂが環状枠体４を上方から押さえ込むようになっている。保持部材９は、その上端が周壁部３ｂ上端と面一となるように寸法設定される。また、スカート部５ｂは、周壁部３ｂと当該周壁部３ｂの上端まで達する環状フランジ部９ｂとの間の環状隙間Ｓに挟み込まれて隠蔽されつつ、伸展自在に設けられる。
【００１９】
環状枠体４を上方から化粧料皿本体３に挿入し、さらにその上から保持部材９を挿入することで、環状枠体４が化粧料皿本体３の外回りにその高さ方向中間部に位置させて装着され、この際、段差部３ｃと環状枠体４、そしてまた環状枠体４と環状フランジ部９ｂとをそれぞれ超音波接着あるいは接着剤で接着することで、環状枠体４は化粧料皿本体３に取付固定される。このような変形例にあっても、上記実施形態と同様の作用・効果を奏することはもちろんである。特にこの変形例にあっては、化粧料皿本体３の周壁部３ｂにメッシュ状のスカート部５ｂが露出される上記実施形態とは異なり、当該スカート部５ｂを保持部材９で隠蔽することができ、化粧料皿１の外観を美麗にすることができる。
【図面の簡単な説明】
【００２０】
【図１】本発明にかかる化粧料皿の好適な一実施形態を示す側断面図である。
【図２】図１に示した化粧料皿の組み立て状態を示す側断面図である。
【図３】図１に示した化粧料皿におけるカバーの伸展状態を示す要部拡大側断面図である。
【図４】本発明にかかる化粧料皿の変形例を示す要部拡大側断面図である。
【符号の説明】
【００２１】
１  化粧料皿
２  開口部
３  化粧料皿本体
４  環状枠体
５  カバー
５ａ  覆い部
５ｂ  スカート部
Ｐ  固形化粧料
【図１】
2008099895.tif 000003
【図２】
2008099895.tif 000004
【図３】
2008099895.tif 000005
【図４】
2008099895.tif 000006